(57)【要約】      （修正有）【課題】放水ノズルの仰角を調整することで設置位置等に対応して所定の最大放水距離が得られるようにする設定作業を可能とする。【解決手段】放水銃装置１０は、水平周りに旋回自在な基台側となる水平旋回部１４に放水ノズル２４が所定の仰角に固定設定されている。水平旋回部１４側に対し回転継手２２により放水ノズル２４が垂直回りに回動自在に装着されている。水平旋回部１４側と放水ノズル２４の間には角度調整機構３０が設けられ、角度調整機構３０を操作して軸方向に伸ばすと、放水ノズル２４の仰角が増加するように調整され、角度調整機構３０を逆方向に操作して軸方向に縮めると、放水ノズル２４の仰角が減少するように調整される。【選択図】図５
2017221478.tif 000002
【特許請求の範囲】
【請求項１】
水平周りに旋回自在な基台側に、所定の仰角に固定設定された放水ノズルが設けられた放水銃装置に於いて、
前記放水ノズルを前記基台側に対し垂直回りに回動自在に装着する回転継手と、
前記基台側と前記放水ノズルの間に設けられ、軸方向に伸縮して前記放水ノズルの仰角を調整する角度調整機構と、
が備えられたことを特徴とする放水銃装置。
【請求項２】
請求項１記載の放水銃装置に於いて、前記角度調整機構は、
一端を前記基台側の支点軸に回動自在に軸支され、他端に第１ねじ軸を設けた第１連結部材と、
一端を前記放水ノズルの支点軸に回動自在に軸支し、他端に前記第１ねじ軸とは逆ねじの第２ねじ軸を設けた第２連結部材と、
前記第１連結部材の第１ねじ軸を螺合する第１ねじ穴を一端に形成すると共に前記第２連結部材の第２ねじ軸を螺合する前記第１ねじ穴とは逆ねじの第２ねじ穴を他端に形成した連結ロッド部材と、
前記第１連結部材の第１ねじ軸に螺合して前記連結ロッド部材を抜け止めする第１ロックナットと、
前記第２連結部材の第２ねじ軸に螺合して前記連結ロッド部材を抜け止めする前記第１ロックナットとは逆ねじの第２ロックナットと、
を備え、
前記連結ロッド部材の軸回りの一方向の回転操作により前記第１連結部材と第２連結部材の間隔を広くして前記放水ノズルの仰角を増加させると共に前記連結ロッド部材の軸回りの逆方向の回転操作により前記第１連結部材と第２連結部材の間隔を狭くして前記放水ノズルの仰角を低下させることを特徴とする放水銃装置。
【請求項３】
請求項２記載の放水銃装置に於いて、前記第１ねじ軸、前記第１ねじ穴及び前記第１ロックナットを右ねじ又は左ねじとし、これに対し前記第２ねじ軸、前記第２ねじ穴及び前記第２ロックナットを逆ねじとしたことを特徴とする放水銃装置。
【請求項４】
請求項１記載の放水銃装置に於いて、前記伸縮ロッド機構は、前記ロッド部材の１回転毎に、前記第１連結部材と第２連結部材の間隔を、所定のねじピッチの２倍ずつ変化させることを特徴とする放水銃装置。
【請求項５】
請求項２記載の放水銃装置に於いて、前記第１連結部材の第１ねじ軸及び前記第２連結部材の第２ねじ軸は、所定のストローク量に所定の最小ねじ込み量を加えた長さを有し、前記連結ロッド部材の回転操作により前記ストローク量の２倍の範囲で前記第１連結部材と第２連結部材の間隔を変化させることを特徴とする放水銃装置。
【請求項６】
請求項１記載の放水銃装置に於いて、前記角度調整機構は、前記基台側と前記放水ノズルの間に配置され、所定の駆動源の駆動により軸方向に伸縮して前記放水ノズルの仰角を調整するアクチュエータが設けられたことを特徴とする放水銃装置。
【発明の詳細な説明】
【技術分野】
【０００１】
本発明は、所定の仰角に固定された放水ノズルを旋回自在に設けた大空間施設の火災を消火する放水銃装置に関する。
【背景技術】
【０００２】
従来、競技場、展示会場などの広い監視区域を有する大空間施設の消火設備として放水銃装置が設置されている。放水銃装置は、設置場所に旋回自在に設けられた水平旋回部に搭載され、放水ノズルの仰角は例えば１５°といった所定の仰角に固定されている。
【０００３】
このような放水銃装置が設置された消火設備にあっては、走査型火災検出器による光学的な水平及び垂直走査により監視区域を監視しており、火災の炎によるエネルギーによる受光信号から火災を検出して制御対象となる火源位置を演算し、放水銃装置を水平旋回により火源位置に指向させ、火源までの距離に応じた放水圧力の制御で消火用水を散水して消火するようにしている。
【先行技術文献】
【特許文献】
【０００４】
【特許文献１】特開２００６−２２３４３６号公報
【特許文献２】特開２００４−２４８９３４号公報
【特許文献３】特開２００４−２６１４７８号公報
【発明の概要】
【発明が解決しようとする課題】
【０００５】
しかしながら、このような従来の放水銃装置にあっては、放水ノズルの仰角を所定角度に固定し、放水距離は放水圧力の制御により行っていたため、監視区域に対する最大放水距離は、制御可能な最大放水圧力で決まっており、監視区域の床面に対する放水銃装置の設置位置の高さによっては、最大放水圧力で放水しても監視区域に要求される最大放水距離に到達しない場合があり、最大放水圧力を上げるために消火ポンプ設備の能力を高めるといった対応が必要であり、設備が大型化しコストも増加する問題がある。
【０００６】
本発明は、運用状態では固定的に設定される放水ノズルの仰角を調整可能とすることで、最大放水圧力を変更することなく所定の最大放水距離の確保を可能とする放水銃装置を提供することを目的とする。
【課題を解決するための手段】
【０００７】
（放水銃装置）
本発明は、水平周りに旋回自在な基台側に、所定の仰角に固定設定された放水ノズルが設けられた放水銃装置に於いて、
放水ノズルを基台側に対し垂直回りに回動自在に装着する回転継手と、
基台側と放水ノズルの間に設けられ、軸方向に伸縮して放水ノズルの仰角を調整する角度調整機構と、
が備えられたことを特徴とする。
【０００８】
（手動操作の角度調整機構）
角度調整機構は、
一端を基台側の支点軸に回動自在に軸支され、他端に第１ねじ軸を設けた第１連結部材と、
一端を放水ノズルの支点軸に回動自在に軸支し、他端に第１ねじ軸とは逆ねじの第２ねじ軸を設けた第２連結部材と、
第１連結部材の第１ねじ軸を螺合する第１ねじ穴を一端に形成すると共に第２連結部材の第２ねじ軸を螺合する第１ねじ穴とは逆ねじの第２ねじ穴を他端に形成した連結ロッド部材と、
第１連結部材の第１ねじ軸に螺合して連結ロッド部材を抜け止めする第１ロックナットと、
第２連結部材の第２ねじ軸に螺合して連結ロッド部材を抜け止めする第１ロックナットとは逆ねじの第２ロックナットと、
を備え、
連結ロッド部材の軸回りの一方向の回転操作により第１連結部材と第２連結部材の間隔を広くして放水ノズルの仰角を増加させると共に連結ロッド部材の軸回りの逆方向の回転操作により第１連結部材と第２連結部材の間隔を狭くして放水ノズルの仰角を減少させる。
【０００９】
（逆ねじ関係）
第１ねじ軸、第１ねじ穴及び第１ロックナットを右ねじ又は左ねじとし、これに対し第２ねじ軸、第２ねじ穴及び第２ロックナットを逆ねじとする。
【００１０】
（連結ロッド回転と間隔変化の関係）
角度調整機構は、連結ロッド部材の１回転毎に、第１連結部材と第２連結部材の間隔を、所定のねじピッチの２倍ずつ変化させる。
【００１１】
（角度調整機構のねじ込み関係）
第１連結部材の第１ねじ軸及び第２連結部材の第２ねじ軸は、所定のストローク量に所定の最小ねじ込み量を加えた長さを有し、連結ロッド部材の回転操作によりストローク量の２倍の範囲で第１連結部材と第２連結部材の間隔を変化させる。
【００１２】
（アクチュエータ）
角度調整機構は、基台側と放水ノズルの間に配置され、所定の駆動源の駆動により軸方向に伸縮して放水ノズルの仰角を調整するアクチュエータが設けられる。
【発明の効果】
【００１３】
（基本的な効果）
本発明は、水平周りに旋回自在な基台側に、所定の仰角に固定設定された放水ノズルが設けられた放水銃装置に於いて、放水ノズルを基台側に対し垂直回りに回動自在に装着する回転継手と、基台側と放水ノズルの間に設けられ、軸方向に伸縮して放水ノズルの仰角を調整する角度調整機構とが備えられたため、例えば放水ノズルを最小仰角に設定した状態で最大放水圧力による放水を行っても、警戒区域に要求された最大放水距離に到達しない場合には、角度調整機構により放水ノズルの仰角を増加させるように調整することで、仰角の増加に伴い放水距離が伸びて必要な最大放水距離を確保することが可能となり、消火ポンプ設備の能力増強といった変更を必要とすることなく、警戒区域に必要な最大放水距離となる放水ノズルの仰角に固定設定させることが簡単且つ容易にできる。
【００１４】
（手動操作の角度調整機構による効果）
角度調整機構は、一端を基台側の支点軸に回動自在に軸支され、他端に第１ねじ軸を設けた第１連結部材と、一端を放水ノズルの支点軸に回動自在に軸支し、他端に第１ねじ軸とは逆ねじの第２ねじ軸を設けた第２連結部材と、第１連結部材の第１ねじ軸を螺合する第１ねじ穴を一端に形成すると共に第２連結部材の第２ねじ軸を螺合する第１ねじ穴とは逆ねじの第２ねじ穴を他端に形成した連結ロッド部材と、第１連結部材の第１ねじ軸に螺合して連結ロッド部材を抜け止めする第１ロックナットと、第２連結部材の第２ねじ軸に螺合して連結ロッド部材を抜け止めする第１ロックナットとは逆ねじの第２ロックナットと、を備え、連結ロッド部材の軸回りの一方向の回転操作により第１連結部材と第２連結部材の間隔を広くして放水ノズルの仰角を増加させると共に連結ロッド部材の軸回りの逆方向の回転操作により第１連結部材と第２連結部材の間隔を狭くして放水ノズルの仰角を減少させるようにしたため、連結ロッド部材をスパナ等の工具を用いて軸回りに回転させるという調整操作により、放水ノズルを所定の最小仰角から最大仰角の範囲で簡単且つ容易に調整し、警戒区域に必要な最大放水距離を確保可能とする。
【００１５】
また、伸縮ロッド機構は、連結ロッドの両側に第１連結部と第２連結部を軸方向に相互に逆ねじの関係で螺合した構造であることから、構造が簡単で高い剛性を確保して軸方向に伸縮自在な堅牢な構造を可能とする。
【００１６】
また、第１ねじ軸及び第２ねじ軸に第１ロックナット及び第２ロックナットを螺合していることで、角度調整の際に各ロックナットを両側の同じ位置に螺合しておくと、連結ロッド部材の回転操作に対する軸方向の伸縮で、連結ロッド部材の両端と各ロックロックナットとの間隔が変化し、この間隔の変化を角度調整の目安とすることで、調整作業をより行い易くすることを可能とする。
【００１７】
（逆ねじ関係による効果）
また、伸縮ロッド機構の第１ねじ軸、第１ねじ穴及び第１ロックナットを右ねじとし、これに対し第２ねじ軸、第２ねじ穴及び第２ロックナットを逆ねじとし、連結ロッド部材の１回転毎に、第１連結部材と第２連結部材の間隔を、所定のねじピッチの２倍ずつ変化させるようにしたため、伸縮ロッド部材の回転操作に対する軸方向の伸縮量を大きくし、放水ノズルの仰角調整を行い易くする。
【００１８】
（伸縮ロッド機構のねじ込み関係による効果）
また、角度調整機構における第１連結部材の第１ねじ軸及び第２連結部材の第２ねじ軸は、所定のストローク量に所定の最小ねじ込み量を加えた長さを有し、連結ロッド部材の回転操作によりストローク量の２倍の範囲で第１連結部材と第２連結部材の間隔を変化させるようにしたため、角度調整機構を最大長に伸展して最大仰角としても、連結ロッド部材の両側に螺合している第１連結部材及び第２連結部材は、それぞれのねじ軸の最小ねじ込み量を保持することで、ねじ込み量が不足することによる軸方向での合成の低下を抑制し、ストロークを伸ばした場合にも高い剛性による放水ノズルの仰角調整状態の確保を可能とする。
【００１９】
（アクチュエータ）
また、角度調整機構は、基台側と放水ノズルの間に配置され、所定の駆動源の駆動により軸方向に伸縮して放水ノズルの仰角を調整するアクチュエータが設けられたため、操作盤等からの遠隔装置により放水ノズルの仰角を調整して監視区域に適合した最大放水距離に調整可能とする。
【図面の簡単な説明】
【００２０】
【図１】放水ノズルの仰角を手動調整する角度調整機構を備えた放水銃装置を示した斜視図
【図２】図１の放水銃装置を側面で示した説明図
【図３】図１の放水銃装置を平面で示した説明図
【図４】放水銃装置に設けられた手動操作の角度調整機構を取り出して示した説明図
【図５】角度調整機構により放水ノズルを最大仰角に調整した状態を示した説明図
【図６】角度調整機構としてアクチュエータを用いた放水銃装置の実施形態を示した説明図
【発明を実施するための形態】
【００２１】
［放水銃装置の概要］
図１は放水ノズルの仰角を手動調整する角度調整機構を備えた放水銃装置を示した斜視図、図２は  図１の放水銃装置を側面で示した説明図、図３は図１の放水銃装置を平面で示した説明図である。
【００２２】
図１乃至図３に示すように、放水銃装置１０は競技場、展示会場など大空間施設に設置され、警戒区域の床面を見渡せる壁際に近い所定の高さとなる位置に設置されている。
【００２３】
放水銃装置１０は架台１２上に水平旋回部１４が搭載され、水平旋回部１４はモータ１６の駆動により水平回りに旋回駆動される。水平旋回部１４に対しては架台１２を介して連結管１３が設けられ、連結管１３には消火ポンプ設備からの送水管が下側から立ち上げられて接続される。
【００２４】
水平旋回部１４の上部にはＴ形配管１８が連結され、Ｔ形配管１８の一端には湾曲されたノズル配管２０が連結され、ノズル配管２０の管端に回転継手２２を介して遠投用の放水ノズル２４が支点軸Ｐを回転中心として垂直回りに回動自在に装着されている。支点軸Ｐは回転継手２２に対応して放水ノズル２４側に設けられており、支点軸ＰはＴ型配管１８側に固定された回転支持アーム２３の先端に回転自在に軸支されている。
【００２５】
放水ノズル２４の付け根側の両側には、エアホース２６が連結され、放水ノズル２４に供給された消火用水に対し加圧空気を送り込み、放水ノズル２４から放水される消火用水の周囲を包むような空気の流れを形成することで、放水ノズル２４から放水された消火用水を棒状に維持して放水距離の確保と消火用水の飛散を抑制している。
【００２６】
Ｔ形配管１８の他方の管端には、湾曲されたノズル配管２７が連結され、ノズル配管２７の管端に近投ノズル２８が装着されている。近投ノズル２８にはノズルカバー２９が装着されており、近投ノズル２８からの放水によりノズルカバー２９を外して放水可能としている。なお、ノズルカバー２９はチェーンで連結されており、放水により外れても、脱落することはない。
【００２７】
放水ノズル２４に対して角度調整機構３０が設けられる。角度調整機構３０は基台側となる水平旋回部１４側に一端を支点軸Ｑにより連結し、他端を放水ノズル２４側に支点軸Ｒにより連結しており、連結ロッド部材の操作により伸縮して支点軸Ｑ−Ｒ間の距離を調整することで、放水ノズル２４の仰角αを調整可能としている。
【００２８】
図２に示す角度調整機構３０は、支点軸Ｑ−Ｒ間を最小距離Ｌｍｉｎとしており、このとき放水ノズル２４の仰角αは最小仰角αｍｉｎに調整されており、支点軸Ｑ−Ｒ間の間隔を広げるように操作すると、放水ノズル２４の仰角を増加させることができる。
【００２９】
［手動操作の角度調整機構］
図４は放水銃装置に設けられた手動操作の角度調整機構を取り出して示した説明図であり、図４（Ａ）は外観を示し、図４（Ｂ）は角度調整機構を最小間隔に調整した状態を断面で示し、図４（Ｃ）は角度調整機構を最大間隔に調整した状態を断面で示す。
【００３０】
図４に示すように、角度調整機構３０は、連結ロッド部材３２、第１連結部材３４、第２連結部材３６、第１ロックナット４４及び第２ロックナット４６で構成している。
【００３１】
連結ロッド部材３２はスパナ等の工具を装着可能とするため六角柱の角柱部材であり、左端に開口して第１ねじ穴４８を形成すると共に右端に開口して第１ねじ穴４０とは逆ねじの第２ねじ穴５０を形成している。
【００３２】
第１連結部材３４は、図２に示した水平旋回部１４側の支点軸Ｑを回動自在に軸支するための軸穴３５を形成すると共に、右側に第１ねじ軸４０を延在している。第１連結部材３４の第１ねじ軸４０は左ねじであり、連結ロッド部材３２の第１ねじ穴４０に螺合する。
【００３３】
第２連結部材３６は、図２に示した放水ノズル２４側の支点軸Ｒを回動自在に軸支するための軸穴３８を形成すると共に、右側に第２ねじ軸４２を延在している。第２連結部材３６の第２ねじ軸４２は右ねじであり、連結ロッド部材３２の第２ねじ穴５０に螺合する。
【００３４】
第１ロックナット４４は第１連結部材３４の第１ねじ軸４０に螺合して連結ロッド部材３２を抜け止めする。第２ロックナット４６は第２連結部材３６の第２ねじ軸４２に螺合して連結ロッド部材３２を抜け止めする。ここで、第１ロックナット４４のナット穴は左ねじ、第２ロックナット４６のナット穴は右ねじとなる。
【００３５】
このように連結ロッド部材３２、第１連結部材３４、第２連結部材３６、第１ロックナット４４及び第２ロックナット４６で構成している角度調整機構３０は、図４（Ｂ）の断面図に示すように、第１連結部材３４の第１ねじ軸４０に第１ロックナット４４を螺合して左端にセットした状態で連結ロッド部材３２の第１ねじ穴４８に第１ロックナット４４が当たるまで螺合し、また、第２連結部材３６の第２ねじ軸４２に第２ロックナット４６を螺合して右端にセットした状態で連結ロッド部材３２の第２ねじ穴５０に第２ロックナット４６が当たるまで螺合した状態で、図２の支点軸Ｑと支点軸Ｒの中心間の間隔を決める軸穴３５，３８の中心間距離を所定の最小間隔Ｌｍｉｎとしている。
【００３６】
また、図４（Ｂ）に示すように、第１連結部材３４の第１ねじ軸４０と連結ロッド部材３２の第１ねじ穴４８の螺合関係において、第１ねじ軸４０は先端側に所定の最小ねじ込み量Ｌ２を設定し、続いて所定のストローク量Ｌ１を設定しており、第１ねじ軸４０のねじ部の第１ねじ穴４８に対するねじ込み長さは、最小ねじ込み量Ｌ２にストローク量Ｌ１を加え、更に、先端側のマージン量ΔＬを加えた（Ｌ１＋Ｌ２＋ΔＬ）としている。
【００３７】
この最小ねじ込み量Ｌ２、ストローク量Ｌ１、マージン量ΔＬの関係は、連結ロッド部材３２の第２ねじ穴５０に螺合する第２連結部材３６の第２ねじ軸４２についても同様である。
【００３８】
角度調整機構３０は、両側の第１連結部材３４と第２連結部材３６の軸穴３５，３８を図２に示した支点軸Ｑと支点軸Ｒに回動自在に嵌合して固定した状態で、スパナ等により連結ロッド部材３２を軸回りに回転操作すると、回転方向と回転量に応じて伸縮する。
【００３９】
第１ねじ軸４０及び第１ねじ穴４８を左ねじ、第２ねじ軸４２及び第２ねじ穴５０を右ねじとした場合、連結ロッド部材３２を右からみて時計回りに回転すると、第１ねじ軸４０及び第２ねじ軸４２は、両方とも外側にストロークし、軸穴３５，３８の中心間の間隔が拡大して伸びる。
【００４０】
また、連結ロッド部材３２を右からみて反時計回りに回転すると、第１ねじ軸４０及び第２ねじ軸４２は、両方とも内側にストロークし、軸穴３５，３８の中心間の間隔が減少して縮む。ここで、連結ロッド部材３２の１回転に対し第１連結部材３４と第２連結部材３６がそれぞれねじの１ピッチ分だけストロークすることから、連結ロッド部材３２の１回転に対し角度調整機構３０の長さはねじの２ピッチ分だけストロークすることになる。
【００４１】
また、連結ロッド部材３２を右からみて時計回りに回転して第１ねじ軸４０及び第２ねじ軸４２を外側にストロークして軸穴３５，３８の中心間の間隔を拡大した場合、最小ねじ込み量Ｌ２を確保する位置がストローク量Ｌ１となり、これ以上の外側へのストロークを調整の際に行わないようにし、第１ねじ軸４０と第１ねじ穴４８及び第２ねじ軸４２と第２ねじ穴５０の螺合による支持強度の低下を抑えて剛性を維持する。
【００４２】
図４（Ｃ）は、最小ねじ込み量Ｌ２となる螺合状態に第１連結部材３４と第２連結部材３６を連結ロッド部材３２の回転操作でストロークした場合を示しており、図２の支点軸Ｑと支点軸Ｒの中心間の間隔を決める軸穴３５，３８の中心間距離を所定の最大間隔Ｌｍａｘとしている。この最大間隔Ｌｍａｘは、図４（Ｂ）の最小間隔Ｌｍｉｎに、第１連結部材３４の第１ねじ軸４０及び第２連結部材３６の第２ねじ軸４２のストローク量Ｌ１の２倍のストローク量を加えた間隔、即ち、
Ｌｍａｘ＝Ｌｍｉｎ＋２×Ｌ１
となる。
【００４３】
（放水ノズルの仰角焼成）
図５は角度調整機構により放水ノズルを最大仰角に調整した状態を示した説明図である。
【００４４】
図４（Ｂ）に示した角度調整機構３０を最小間隔Ｌｍｉｎに調整した状態では、図２の放水ノズル２４及び図５の想像線で示す放水ノズル２４ａのように、水平方向に対し放水ノズル２４の仰角αは最小仰角αｍｉｎに設定されている。
【００４５】
この状態で図４（Ｃ）に示したように、角度調整機構３０を最大間隔Ｌｍａｘに調整すると、図５に示すように、角度調整機構３０による支点軸Ｑ−Ｒ間の間隔の増加に伴い放水ノズル２４の仰角αが増加し、最大仰角αｍａｘに調整できる。これにより放水ノズル２４の仰角αは、Δαの範囲で調整可能となる。
【００４６】
実際の調整作業では、放水ノズル２４を最小仰角αｍｉｎに調整し、放水ノズル２４による放水圧力を所定圧に制御した状態で実際に放水し、放水距離が所定の最大放水距離に届かない場合は、角度調整機構３０の操作により放水ノズル２４の仰角αを増加させ、最大放水距離で所定の散水量が得られる放水ノズル２４の仰角αに調整できたら、図３（Ａ）に示すように、第１及び第２ロックナット４４，４６を連結ロッド部材３２側に締め付けて調整間隔に固定させる。
【００４７】
［アクチュエータによる角度調整機構］
図６は角度調整機構としてアクチュエータを用いた放水銃装置の実施形態を示した説明図である。
【００４８】
図６に示すように、本実施形態にあっては、放水銃装置１０の角度調整機構６０として、電動アクチュエータ６２を設けている。電動アクチュエータ６２は、モータ６４の回転運動をピニオンラック機構等により直線運動に変換してロッド６６を軸方向に伸縮させている。
【００４９】
電動アクチュエータ６２は本体側がＴ形配管１８側に支点軸Ｑにより連結され、ロッド６６の先端を放水ノズル２４に支点軸Ｒにより連結しており、モータ６４駆動によるロッド６６の進退により支点軸Ｑ−Ｒ間の間隔を調整することで、放水ノズル２４の仰角αを調整可能としている。
【００５０】
また、電動アクチュエータ６２にはロッド６６のストローク量を検出して出力するポテンショメータを備えたものがあり、これにより制御卓等からストローク量を設定した制御信号を電動アクチュエータ６２に出力し、これにより遠隔的に放水ノズル２４の仰角αの調整が可能となる。
【００５１】
なお、角度調整機構に用いるアクチュエータは、電動アクチュエータ以外に、油圧駆動型、水圧駆動型、空気圧駆動型等の適宜の駆動機構によるアクチュエータを用いても良い。
【００５２】
また、アクチュエータにより一度調整された放水ノズルの仰角を固定的に維持させるため、アクチュエータによる放水ノズルを動きを阻止するロック機構を設けることが望ましい。
【００５３】
［本発明の変形例］
（逆ねじ関係）
図４の角度調整機構の実施形態にあっては、第１ねじ軸４０、第１ネジ穴４８及び第１ロックナット４４を左ねじとし、第２ねじ軸４２、第２ネジ穴５０及び第２ロックナット４６を右ねじとしているが、逆に、第１ねじ軸４０、第１ネジ穴４８及び第１ロックナット４４を右ねじとし、第２ねじ軸４２、第２ネジ穴５０及び第２ロックナット４６を左ねじとしても良い。
【００５４】
（その他）
また、本発明はその目的と利点を損なうことのない適宜の変形を含み、更に上記の実施形態に示した数値による限定は受けない。
【符号の説明】
【００５５】
１０：放水銃装置
１２：架台
１４：水平旋回部
１６：モータ
１８：Ｔ形配管
２０，２７：ノズル配管
２２：回転継手
２３：回転支持アーム
２４：放水ノズル
２６：エアホース
２８：近投ノズル
３０，６０：角度調整機構
３２：連結ロッド部材
３４：第１連結部材
３６：第２連結部材
３５，３８：軸穴
４０：第１ねじ軸
４２：第２ねじ軸
４８：第１ねじ穴
５０：第２ねじ穴
４４：第１ロックナット
４６：第２ロックナット
６２：電動アクチュエータ
６４：モータ
６６：ロッド
Ｐ，Ｑ，Ｒ：支点軸
【図１】
2017221478.tif 000003
【図２】
2017221478.tif 000004
【図３】
2017221478.tif 000005
【図４】
2017221478.tif 000006
【図５】
2017221478.tif 000007
【図６】
2017221478.tif 000008